(57)【要約】  【課題】  架空設置目的では十分な防水性・防沫性を有し、かつ軽量化・コスト低減・作業性の向上を実現するようなクロージャを提供する。  【解決手段】  複数枚の側板が連接部に接続されて折り曲げ可能に構成される開閉カバー１１と、箱形に形成されるベースカバー１２と、が連接部により一体に接続されてなるカバー１０を備え、さらに端面部材を備えるクロージャ１００とした。端面部材がケーブルの導入部に常時密着してクロージャ１００全体の防水性・防沫性を維持する。また、連接部の採用により蝶番など他の構成を極力排して軽量化・低コスト化も実現する。さらにまた、カバー開閉時でも端面部材はそのままとして端面部材の防水性・防沫性に影響を与えないで作業を行える。【選択図】  図７
2005165202.tif 000002
【特許請求の範囲】
【請求項１】
ケーブルを把持する左右対一対のケーブルクランプ部と、
ケーブルを外界から封止するため左右一対のケーブルクランプ部にそれぞれ一または複数個取り付けられる端面部材と、
端面部材が外部に露出するように取り付けられる左右一対のサイドフレームと、
複数枚の側板が連接部に接続されて折り曲げ可能に構成される開閉カバーと、箱形に形成されるベースカバーと、が連接部により一体に接続されてなるカバーと、
を備え、
前記カバーは、左右で端面部材とともに露出するサイドフレームにベースカバーが当接して取り付けられ、さらに開閉カバーを折り曲げてサイドフレームに当接させつつ閉じることを特徴とするクロージャ。
【請求項２】
請求項１記載のクロージャにおいて、
前記端面部材は、
ゴム製の部材本体に設けられた穴部と、
穴部を挟むように部材本体の両側面に対で設けられ、穴部の開口付近にケーブルを誘導する一対のケーブル導入部と、
一対のケーブル導入部の間に挟まれ、かつ穴部内を仕切るように配置される薄膜と、
を備える端面部材本体二個からなるものであって、
穴部の開口を対向させて２個の端面部材本体を突き合わせたとき、ケーブル導入部および薄膜が両側からケーブルに密接して外部環境から封止する端面部材となることを特徴とするクロージャ。
【請求項３】
請求項１または請求項２に記載のクロージャにおいて、
前記ケーブルクランプ部は、
送りねじと、
手前側に設置され、送りねじの送りにより手前側からケーブル側へ移動する第１把持部と、
奥側に設置され、送りねじの送りにより奥側からケーブル側へ移動する第２把持部と、
からなる第１クランプ部を備えることを特徴とするクロージャ。
【請求項４】
請求項３に記載のクロージャにおいて、
前記ケーブルクランプ部は、第１クランプ部に加えて、
保持部と、
保持部に螺装され、保持部で保持されるケーブルを先端で固定するねじと、
からなる第２クランプ部を備えることを特徴とするクロージャ。
【請求項５】
請求項１〜請求項４に記載のクロージャにおいて、
前記端面部材および前記カバーは、架空設置時に下側となる位置に水抜き孔が設けられており、ケーブルを伝って侵入した雨水を前記端面部材の水抜き孔を経て前記カバーの水抜き孔から下側へ落とすことを特徴とするクロージャ。
【発明の詳細な説明】
【技術分野】
【０００１】
本発明は、架空に設置できるように必要最小限の機能を有するクロージャに関する。
【背景技術】
【０００２】
クロージャは従来から鋭意開発がなされ、本出願人も過去に特許出願を行っている。そのような従来技術が、例えば、特許文献１（発明の名称：クロージャ用の端面部材）に開示されている。この特許文献１はクロージャ用の端面部材に係る発明が記載されたものであるが、その明細書中にクロージャについても開示されている。このような従来技術のクロージャでは、クロージャ内の気密性・水密性を保つため、ケーブル配線用クロージャの両端部に配置する端面シール部材に特徴を持たせている。
【０００３】
また、同様の従来技術が、例えば特許文献２（発明の名称：ケーブル接続部用クロージャのシール部材）にも開示されている。特許文献２でも、シール部材に特徴を持たせている。
【０００４】
【特許文献１】特開２００２−２９６４２８号公報      （段落番号００１７〜００４４，図１〜図９）
【特許文献２】特開２００３−１５３４２４号公報      （図１）
【発明の開示】
【発明が解決しようとする課題】
【０００５】
特許文献１，２に記載されたクロージャは、気密性・水密性を向上させるという効果を奏するものである。しかしながら、気密性・水密性の向上に伴って製造コスト等が増大するため、廉価なクロージャの提供が難しかった。このような事情に鑑み、本発明者は、鋭意実験を重ね、水中や地中のような水密性・気密性が要求されないような箇所、例えば、メッセンジャワイヤに吊り下げられたような架空における設置では、それほど過大な水密性・気密性を必要とせず、ＪＩＳＣ０９２０の保護等級が４級程度（防水性・防沫性）を満たしていればクロージャとして使用可能であることを知見した。架空設置用に限定して、簡単な構成で過剰な機能を排し、十分な防水性・防沫性を有することで廉価なクロージャを提供したいという要請があった。
また、クロージャは支持物（いわゆる電柱・電信柱）に張り渡されたメッセンジャワイヤから吊り下げられて設置されるため重量化を避けたいという事情があり、クロージャ自体の構造を見直して防水性・防沫性に影響を与えることなく更なる軽量化を実現したいという事情もあった。
【０００６】
そこで、本発明は上記問題点を解決するためになされたものであり、その目的は、架空設置目的では十分な防水性・防沫性を有し、かつ軽量化・コスト低減・作業性の向上を実現するようなクロージャを提供することにある。
【課題を解決するための手段】
【０００７】
本発明の請求項１に係るクロージャは、
ケーブルを把持する左右対一対のケーブルクランプ部と、
ケーブルを外界から封止するため左右一対のケーブルクランプ部にそれぞれ一または複数個取り付けられる端面部材と、
端面部材が外部に露出するように取り付けられる左右一対のサイドフレームと、
複数枚の側板が連接部に接続されて折り曲げ可能に構成される開閉カバーと、箱形に形成されるベースカバーと、が連接部により一体に接続されてなるカバーと、
を備え、
前記カバーは、左右で端面部材とともに露出するサイドフレームにベースカバーが当接して取り付けられ、さらに開閉カバーを折り曲げてサイドフレームに当接させつつ閉じることを特徴とする。
【０００８】
また、本発明の請求項２に係るクロージャは、
請求項１記載のクロージャにおいて、
前記端面部材は、
ゴム製の部材本体に設けられた穴部と、
穴部を挟むように部材本体の両側面に対で設けられ、穴部の開口付近にケーブルを誘導する一対のケーブル導入部と、
一対のケーブル導入部の間に挟まれ、かつ穴部内を仕切るように配置される薄膜と、
を備える端面部材本体二個からなるものであって、
穴部の開口を対向させて２個の端面部材本体を突き合わせたとき、ケーブル導入部および薄膜が両側からケーブルに密接して外部環境から封止する端面部材となることを特徴とする。
【０００９】
また、本発明の請求項３に係るクロージャは、
請求項１または請求項２に記載のクロージャにおいて、
前記ケーブルクランプ部は、
送りねじと、
手前側に設置され、送りねじの送りにより手前側からケーブル側へ移動する第１把持部と、
奥側に設置され、送りねじの送りにより奥側からケーブル側へ移動する第２把持部と、
からなる第１クランプ部を備えることを特徴とする。
【００１０】
また、本発明の請求項４に係るクロージャは、
請求項３に記載のクロージャにおいて、
前記ケーブルクランプ部は、第１クランプ部に加えて、
保持部と、
保持部に螺装され、保持部で保持されるケーブルを先端で固定するねじと、
からなる第２クランプ部を備えることを特徴とする。
【００１１】
また、本発明の請求項５に係るクロージャは、
請求項１〜請求項４に記載のクロージャにおいて、
前記端面部材および前記カバーは、架空設置時に下側となる位置に水抜き孔が設けられており、ケーブルを伝って侵入した雨水を前記端面部材の水抜き孔を経て前記カバーの水抜き孔から下側へ落とすことを特徴とする。
【発明の効果】
【００１２】
以上のような本発明によれば、架空設置目的では十分な防水性・防沫性を有し、かつ軽量化・コスト低減・作業性の向上を実現するようなクロージャを提供することができる。
【発明を実施するための最良の形態】
【００１３】
本発明を実施するための最良の形態について図に基づき説明する。まず、クロージャの外観について説明する。図１は本形態のクロージャの外観斜視図、図２は同じく外観三面図である。
クロージャ１００の外観は図１，図２で示すような構成であり、カバー１０と、左右一対のサイドフレーム２０，２０と、複数の端面部材３０と、左右一対のハンガーブラケット４０とを備えている。
【００１４】
続いて、クロージャの内観について説明する。図３は本形態のクロージャからカバーを取り去った場合の内部斜視図、図４は同じく正面図である。
クロージャ１００の内部は図３，図４で示すような構成であり、左右一対のサイドフレーム２０，２０と、複数の端面部材３０と、左右一対のハンガーブラケット４０と、ベースプレート５０と、左右一対のケーブルクランプ部６０，６０と、を備えている。ケーブルクランプ部６０は、さらに第１クランプ部６１と第２クランプ部６２とを備える。
なお、カバー１０内には、例えば図１４〜図１６で示すような融着接続トレイ７０が設けられ、配線のためにケーブル（図示せず）から引き出された心線などが接続されることとなる。
【００１５】
続いて、各部について図を参照しつつ説明する。図５は開閉カバーを開いたカバーの側面図、図６，図７は開閉カバーを開いたクロージャの外観斜視図である。
カバー１０は、先に説明した図１，図２で示すように、開閉カバー１１と、ベースカバー１２とが樹脂により構成される。開閉カバー１１とベースカバー１２とには、図２で示すように、水抜き孔１３が設けられており、後述するが、クロージャ１００内に侵入した雨水を排出する。開閉カバー１１とベースカバー１２とは、バックル１４により開閉が容易にできる。
【００１６】
開閉カバー１１は、図５で示すように三枚の側板１１ａ，１１ｂ，１１ｃが連接部１１ｄ，１１ｅにより連接されている。さらに開閉カバー１１とベースカバー１２とは連接部１１ｆにより連接されている。
連接部１１ｄ，１１ｅ，１１ｆは非常に薄く形成されて折り曲げ自在となっており、開閉カバー１１は、図６，図７で示すように開閉が可能となる。
また、カバー１０内には、図７で示すように多数の梁が一体に形成されているため、機械的に堅牢な構成となっている。
【００１７】
ベースプレート５０は、図３，図４で示すような構造の金属板であって堅牢な材料により形成されている。このベースプレート５０には、トレイ支え部５１が回動自在に軸支されている。このトレイ支え部５１は、後述するが融着接続トレイ７０を引き出した時に支えとして用いる。
【００１８】
左右一対のケーブルクランプ部６０，６０は、図３，図４で示すように、ベースプレート５０の両側に配置される。ケーブルクランプ部６０は複数のケーブル（図示せず）を把持する機能を有している。
図３，図４でも示すように、ケーブルクランプ部６０は、さらに第１クランプ部６１と、第２クランプ部６２とを備えている。
【００１９】
このようなケーブルクランプ部６０についてさらに詳しく説明する。図８は本形態のクロージャのＡ−Ａ線断面図，図９は同じくＢ−Ｂ線断面図である。
図８，図９はケーブルクランプ部６０のうち第１クランプ部６１を説明する図である。第１クランプ部６１は、図８，図９でも示すように、送りねじ６１ａと、第１把持部６１ｂと、第２把持部６１ｃと、を備えている。
【００２０】
第１把持部６１ｂは、円弧状の把持部であって手前側（ベースカバー側）に設置され、送りねじ６１ａの送りにより手前側からケーブル側（矢印ａ方向）へ移動する。
第２把持部６１ｃは、円弧状の把持部であって奥側（開閉カバー側）に設置され、送りねじ６１ａの送りにより奥側からケーブル側（矢印ｂ方向）へ移動する。これにより、第１把持部６１ｂと第２把持部６１ｃとの円弧部にケーブル（図示せず）が把持・固定される。
【００２１】
また、第２クランプ部６２は、図３の拡大図で示すように、保持部６２ａ、ねじ６２ｂを備えている。保持部６２ａは略Ｃ字状に形成されており、この中にケーブルが挿通される。ねじ６２ｂを調整して保持部６２ａ内のケーブルを固定することとなる。
ケーブルクランプ部６０は、これら第１クランプ部６１および第２クランプ部６２によりケーブルを強固に固定する。
【００２２】
サイドフレーム２０は、図１〜図３で示すように、ケーブルクランプ部６０に取り付けられる。
本形態では１個のケーブルクランプ部２０にサイドフレーム２０が取り付けられ、さらに、ケーブルクランプ部６０に左右一対となるように配置される。
【００２３】
端面部材３０は、ケーブルクランプ部６０に一または複数取り付けられる。
本形態では１個のケーブルクランプ部６０に３個の端面部材３０が取り付けられ、このようなケーブルクランプ部６０が左右一対配置される。端面部材３０はクロージャ端面の左右両側に配置され、クロージャ１００の両側から導入されるケーブルを外部環境から封止し、ケーブルの導入箇所から雨水等が侵入する事態を防止する。
このような端面部材の詳細について説明する。図１０，図１１は端面部材の部品構成図であり、図１２，図１３は端面部材の組立構成図である。
クロージャ用の端面部材３０は、図１０，図１１で示すように、一対の端面部材本体３１，３１は対をなしている。
【００２４】
端面部材本体３１は、図１０，図１１で示すように、軟質プラスチック製（あるいはゴム製）の部材本体に、穴部３１ａと、ケーブル導入部３１ｂと、薄膜３１ｃと、係止用突部３１ｄと、係止用孔部３１ｅと、固定用突起３１ｆと、閉塞膜３１ｇと、肉厚部３１ｈと、フランジ部３１ｉと、水抜き孔３１ｊとを備えるものである。この穴部３１ａは、図１０，図１１でも明らかなように、半円柱状の穴である。ケーブル導入部３１ｂは、半円状であって、穴部３１ａを挟んで両側に対をなすように設けられている。このケーブル導入部３１ｂは、前記穴部３１ａ内にケーブルを通過させるため、その通過位置を決定する役割を果たしている。なお、端面部材３０の使用前では、ケーブル導入部３１ｂの最内周には、略半円状の閉塞膜３１ｇが設けられている。
後に詳述するが、ケーブルを導入すると、最内周にある閉塞膜３１ｇは押し退けられつつ移動してケーブルは閉塞膜３１ｇに確実に密着する。さらに、ケーブル導入をしないケーブル導入部３１ｂでは、この閉塞膜３１ｇは外部環境から封止するという役割も果たしている。
【００２５】
この半円状の閉塞膜３１ｇの外側には、この半円の中心と同じ中心である同心円に沿うような略半円の肉厚部３１ｈが設けられ、ケーブル導入部３１ｂは充分な厚さが確保されている。この肉厚部３１ｈがあるため、閉塞膜３１ｇがケーブルによりケーブル半径方向へ押し退けられるような場合や、または仮にケーブルがケーブル延伸方向（軸方向）に移動するような場合でも、閉塞膜３１ｇ全体の形状を維持する。
【００２６】
穴部３１ａの内側には穴部３１ａの内部を仕切る２枚の薄膜３１ｃが形成されている。この薄膜３１ｃは、図１０，図１１からも明らかなように、蛇腹状に形成されているため、自在に移動できる遊び部分を有するものであり、ケーブル径の大小、または、ケーブル被覆表面の凹凸等にも対応して密着することができる。ケーブルに確実に薄膜３１ｃを当接させるようにするため、図１０（ａ），（ｃ），（ｄ）、図１１（ｂ）でも明らかなように、薄膜３１ｃは、穴部３１ａの開口から突出するような大きさに設けられている。後述するが薄膜３１ｃの蛇腹部分にケーブルが確実に密接することとなる。
水抜き孔３１ｊは、図１０（ｂ）で示すように、二枚の薄膜３１ｃの間に形成されている。
【００２７】
係止用突部３１ｄは、特に、図１０（ｅ）で示すように鉤状に形成され、また、係止用孔部３１ｅは、図１１（ｃ）で示すように、孔状に形成されている。図１２，図１３で示すように、これら係止用突部３１ｄが係止用孔部３１ｅにはめ込まれて端面部材３０が形成される。
形成された端面部材３０には、図１２（ｃ）で示すように、水抜き孔３１ｊが二カ所に形成される。水抜き孔３１ｊは下側となるようにケーブルクランプ部６０へ取り付けられることとなる。
【００２８】
固定用突起３１ｆは、図１０，図１１でも示すように、一カ所で複数（本形態では図１１（ｃ）などで示すように２個）の突体であり、ケーブルクランプ部６０へ取り付けるために設けられている。ケーブルクランプ部６０にも、対応する突設部（図示せず）が設けられており、突設部に突起を嵌着することで取り付けることができる。
フランジ部３１ｉは、組立て時にフランジ状となって端面部材１０の外界に曝される側での雨水の浸入を確実に防止する。また、端面部材３０自体を強固な構造とする。このように、フランジ部３１ｉは、クロージャ内部への雨水の浸入を防止してクロージャを外部環境から封止する。
【００２９】
このようなクロージャ１００へのケーブルの取り付けについて説明する。まず、端面部材１００にケーブルが取り付けられる。
一対の端面部材本体３１，３１によりケーブルを挟持すると、ケーブルは閉塞膜３１ｇを押し退けつつケーブル導入部３１ｂに配置され、一対のケーブル導入部３１ｂは左右から密着するように押圧され、その隙間を確実に塞ぐ。ケーブルは半円状の切り欠きである肉厚部３１ｈの最内周まで到達し、閉塞膜３１ｇはケーブルに密着する。
このため、ケーブル導入部３１ｂは充分に密接し、外界からの雨水等の侵入をある程度までは防止する。さらに、薄膜３１ｃまでケーブルを伝って雨水が若干は到達したとしても、この場合も薄膜３１ｃを伝って下側へ滴下し、最下位にある水抜き孔３１ｊを介して下側へ滴下することとなる。最終的に先に説明したカバー１０の水抜き孔１３から滴下してカバー１０内から水が排出される。
【００３０】
続いて、ケーブルを挿通させた端面部材３０を、図３，図４に示すようにケーブルクランプ部６０に取り付け、さらに図示しないケーブルを第１クランプ部６１，第２クランプ部６２に取り付け、ベースプレート５０上であって中央空間上にある図示しない融着接続トレイ上にケーブルの光ファイバが引き出されて、融着接続される。
続いて、図１で示すようにクロージャにカバー１０が取り付けられる。
【００３１】
続いて、このようなクロージャによる使用形態について説明する。図１４，図１５，図１６は本形態のクロージャの使用形態を説明する説明図である。
このようなクロージャ使用時は、例えば、図１で示したような状態で図示しないメッセンジャワイヤから吊り下げられている。そして、クロージャ１００内の接続を変更する必要が生じた場合に図１４で示すように開閉カバー１１を開けて、図１５，図１６に示すようにカバー全体を取り去った状態とする。このような状態でさらに、融着接続トレイ７０の一枚を回転移動により引き出して先に説明したトレイ支え部５１で支えながら融着接続作業を行うこととなる。これにより内部の融着接続トレイ上で光ファイバの接続・付け替えなどを行うこととなる。
【００３２】
以上説明した本発明のクロージャは、端面部材とケーブルとの隙間のように雨水が浸入しやすい経路に対し、端面部材で薄膜がケーブルに当接して、多重に雨水の浸入を防止するため、クロージャ内に雨水が浸入する事態を防止する。
また、開閉カバーを閉じるときでもケーブルクランプ部の溝部に開閉カバーの突部が当接して、この点でも、クロージャ内に雨水が浸入する事態を防止する。
【００３３】
また、薄い側板であっても梁を充分に張り渡して、軽く堅牢な構造としている。さらに連接部により側板を回動自在に接続するため蝶番など不要な構造として、この点でも軽量化した構造としている。
【００３４】
このように、カバーのベースカバーおよび開閉カバーを一体構造にして製作の容易化によりコストを低減させるとともに、防水性・防沫性も維持して、安価で高性能なクロージャとすることができる。
【図面の簡単な説明】
【００３５】
【図１】本発明を実施するための最良の形態のクロージャの外観斜視図である。
【図２】本発明を実施するための最良の形態のクロージャの外観三面図である。
【図３】本発明を実施するための最良の形態のクロージャからカバーを取り去った場合の内部斜視図である。
【図４】本発明を実施するための最良の形態のクロージャからカバーを取り去った場合の正面図である。
【図５】開閉カバーを開いたカバーの側面図である。
【図６】開閉カバーを開いたクロージャの外観斜視図である。
【図７】開閉カバーを開いたクロージャの外観斜視図である。
【図８】本発明を実施するための最良の形態のクロージャのＡ−Ａ線断面図である。
【図９】本発明を実施するための最良の形態のクロージャのＢ−Ｂ線断面図である。
【図１０】端面部材の部品構成図であり、図１０（ａ）は正面図、図１０（ｂ）は左側面図、図１０（ｃ）は底面図、図１０（ｄ）はａ−ａ線断面図、図１０（ｅ）は拡大図、図１０（ｆ）は拡大図である。
【図１１】端面部材の部品構成図であり、図１１（ａ）は左側面図、図１１（ｂ）はｂ−ｂ線断面図、図１１（ｃ）は拡大図である。
【図１２】端面部材の組立構成図であり、図１２（ａ）は左側面図、図１２（ｂ）は正面図、図１２（ｃ）は底面図、図１２（ｄ）は平面図である。
【図１３】端面部材の組立構成図であり、図１３（ａ）は右側面図、図１３（ｂ）はｃ−ｃ線断面図、図１３（ｃ）はｄ−ｄ線断面図である。
【図１４】本発明を実施するための最良の形態のクロージャの使用形態を説明する説明図である。
【図１５】本発明を実施するための最良の形態のクロージャの使用形態を説明する説明図である。
【図１６】本発明を実施するための最良の形態のクロージャの使用形態を説明する説明図である。
【符号の説明】
【００３６】
１００：クロージャ
１０：カバー
１１：開閉カバー
１１ａ，１１ｂ，１１ｃ：側板
１１ｄ，１１ｅ，１１ｆ：連接部
１１ｇ：突部
１２：ベースカバー
１３：水抜き孔
１４：バックル
２０：サイドフレーム
３０：端面部材
３１：端面部材本体
３１ａ：穴部
３１ｂ：ケーブル導入部
３１ｃ：薄膜
３１ｄ：係止用突部
３１ｅ：係止用孔部
３１ｆ：固定用突起
３１ｇ：閉塞膜
３１ｈ：肉厚部
３１ｉ：フランジ部送りねじ
４０：ハンガーブラケット
５０：ベースプレート
５１：トレイ支え部
６０：ケーブルクランプ部
６１：第１クランプ部
６１ａ：送りねじ
６１ｂ：第１把持部
６１ｃ：第２把持部
６２：第２クランプ部
６２ａ：保持部
６２ｂ：ねじ
６３：溝部
７０：融着接続トレイ
【図１】
2005165202.tif 000003
【図２】
2005165202.tif 000004
【図３】
2005165202.tif 000005
【図４】
2005165202.tif 000006
【図５】
2005165202.tif 000007
【図６】
2005165202.tif 000008
【図７】
2005165202.tif 000009
【図８】
2005165202.tif 000010
【図９】
2005165202.tif 000011
【図１０】
2005165202.tif 000012
【図１１】
2005165202.tif 000013
【図１２】
2005165202.tif 000014
【図１３】
2005165202.tif 000015
【図１４】
2005165202.tif 000016
【図１５】
2005165202.tif 000017
【図１６】
2005165202.tif 000018